(57)【要約】【課題】畜舎内の気体中に含まれる臭気を効果的に除去する方法を提供する。【解決手段】ヨウ素−シクロデキストリン包接化合物を含む液体を、畜舎で生じた臭気を発する気体に散布することによって、畜舎内の気体中に含まれる臭気を効果的に除去することが可能である。また、かような臭気除去は、畜舎内の気体を取り込む吸気部と、ヨウ素−シクロデキストリン包接化合物を含む液体を前記気体に散布する液体散布部と、前記ヨウ素−シクロデキストリン包接化合物によって臭気が除去された気体を排出する排気部と、を有する臭気除去装置によって行われ得る。【選択図】　　　　　　図１
2004081027.tif 000002
【特許請求の範囲】
【請求項１】
ヨウ素−シクロデキストリン包接化合物を含む液体を、畜舎で生じた臭気を発する気体に散布する、畜舎の臭気除去方法。
【請求項２】
前記ヨウ素−シクロデキストリン包接化合物を含む液体を、前記畜舎で生じた臭気を発する気体が取り込まれた液体散布手段において散布することを特徴とする請求項１に記載の臭気除去方法。
【請求項３】
前記ヨウ素−シクロデキストリン包接化合物を含む液体は、液体の全質量に対して２〜５０質量％のヨウ素−シクロデキストリン包接化合物を含むことを特徴とする請求項１または２に記載の臭気除去方法。
【請求項４】
前記ヨウ素−シクロデキストリン包接化合物を含む液体は、さらに木酢液を含むことを特徴とする請求項１〜３のいずれか１項に記載の臭気除去方法。
【請求項５】
ヨウ素−シクロデキストリン包接化合物を含むシートに、畜舎で生じた臭気を発する気体を挿通させる、畜舎の臭気除去方法。
【請求項６】
前記シートは不織布であることを特徴とする請求項５に記載の臭気除去方法。
【請求項７】
前記ヨウ素−シクロデキストリン包接化合物は、化合物質量に対して５〜３５質量％のヨウ素を有することを特徴とする請求項１〜６のいずれか１項に記載の臭気除去方法。
【請求項８】
前記ヨウ素−シクロデキストリン包接化合物に含まれるシクロデキストリンは、β−シクロデキストリンまたはアルキル化β−シクロデキストリンであることを特徴とする請求項１〜７のいずれか１項に記載の臭気除去方法。
【請求項９】
畜舎内の気体を取り込む吸気部と、
ヨウ素−シクロデキストリン包接化合物を含む液体を前記気体に散布する液体散布部と、
前記ヨウ素−シクロデキストリン包接化合物によって臭気が除去された気体を排出する排気部と、
を有することを特徴とする臭気除去装置。
【請求項１０】
畜舎で生じた臭気を発する気体が挿通される、ヨウ素−シクロデキストリン包接化合物を含む臭気除去シート。
【発明の詳細な説明】
【０００１】
【発明の属する技術分野】
本発明は、畜舎内の気体中に含まれる臭気を除去する方法に関し、より詳しくは、ヨウ素−シクロデキストリン包接化合物を用いて畜舎内の気体中に含まれる臭気を除去する方法に関する。
【０００２】
【従来の技術】
動物からは、アンモニア、アルデヒド、硫化水素などの臭気が発生する。大量の家畜を飼育する畜舎では、強い不快感を惹起させる大量の臭気が発生する。このため、臭気を除去し、周辺環境に与える影響を低減するための種々の化合物が提案されている。
【０００３】
一般的には、臭気を除去するために、酸が用いられる。例えば、特開２００１−８７３６４号公報には、排水や汚泥から発生する臭気を除去するために、▲１▼過酸化物、▲２▼硫酸、塩酸または燐酸、▲３▼キレート剤からなる消臭剤が開示されている。しかしながら、硫酸などの酸を用いる場合、ヒトや動物にとって有害であり、継続的な使用は制限される。また、アンモニアなどの塩基性成分は除去できるが、有機酸などの酸性成分を除去することは困難である。その上、強力な酸化力によって、機器類や金属が腐食する恐れもある。
【０００４】
一方、ヨウ素をβ−シクロデキストリンで包接したヨウ素−シクロデキストリン包接化合物を用いた消臭剤が、例えば、特開昭５１−８８６２５号公報で報告されている。この公報には、β−シクロデキストリンと水溶化したヨウ素とを混合して、β−シクロデキストリンがヨウ素と最高で約等モル比で形成された包接体を消臭、抗菌剤に使用することが記載されている。
【０００５】
【発明が解決しようとする課題】
本発明が目的とするところは、畜舎内の気体中に含まれる臭気を効果的に除去する方法を提供することである。
【０００６】
また本発明が目的とするところは、畜舎内の気体中に含まれる臭気を効果的に除去する臭気除去装置を提供することである。
【０００７】
【課題を解決するための手段】
本発明の第一は、ヨウ素−シクロデキストリン包接化合物を含む液体を、畜舎で生じた臭気を発する気体に散布する、畜舎の臭気除去方法である。
【０００８】
本発明の第一の臭気除去方法を用いれば、シクロデキストリンの本来の機能である消臭効果を用いて効果的な臭気除去が図れる。その上、本発明の第一において用いられる、ヨウ素−シクロデキストリン包接化合物は、不安定で長期保存に適さないヨウ素が長期間安定した形態で存在できる上、ヨウ素の本来の機能である抗菌・防黴効果も高い。また、本発明の第一において用いられるヨウ素−シクロデキストリン包接化合物は、特異な臭気や刺激性を発生させない。さらに、アンモニアなどの塩基性成分だけでなく、有機酸などの酸性成分を除去することも可能である。従って、種々の臭気の原因物質が含まれる畜舎内に適用する上で、非常に有益である。
【０００９】
本発明の第二は、ヨウ素−シクロデキストリン包接化合物を含むシートに、畜舎で生じた臭気を発する気体を挿通させる、畜舎の臭気除去方法である。
【００１０】
本発明の第二の臭気除去方法を用いれば、臭気を発する気体をヨウ素−シクロデキストリン包接化合物を含むシートに挿通させて、臭気を除去することができる。かような実施形態においては、脱臭効果が薄れた場合に、シートを交換するだけで容易に脱臭効果の回復が図れるため、利便性が高い。また、液体成分が含まれないために液ダレなどが生じず、取り扱い性に優れる。さらに、アンモニアなどの塩基性成分だけでなく、有機酸などの酸性成分を除去することも可能である。従って、種々の臭気の原因物質が含まれる畜舎内に適用する上で、非常に有益である。
【００１１】
本発明の第三は、畜舎内の気体を取り込む吸気部と、ヨウ素−シクロデキストリン包接化合物を含む液体を前記気体に散布する液体散布部と、前記ヨウ素−シクロデキストリン包接化合物によって臭気が除去された気体を排出する排気部と、を有することを特徴とする臭気除去装置である。
【００１２】
本発明の第三の臭気除去装置を用いれば、臭気を発する気体に脱臭効果を有するヨウ素−シクロデキストリン包接化合物を散布することによって、効果的な脱臭が図れる。かような臭気除去装置は、大量の臭気を発する気体を処理する上で効率的である。したがって、畜舎内の気体を処理する手段として有益である。
【００１３】
本発明の第四は、畜舎で生じた臭気を発する気体が挿通される、ヨウ素−シクロデキストリン包接化合物を含む臭気除去シートである。
【００１４】
本発明の第四の臭気除去シートを用いれば、臭気を発する気体をヨウ素−シクロデキストリン包接化合物を含むシートに挿通させて、臭気を除去することができる。かような実施形態においては、脱臭効果が薄れた場合に、シートを交換するだけで容易に脱臭効果の回復が図れるため、利便性が高い。
【００１５】
【発明の実施の形態】
以下、本発明の実施形態について詳細に説明する。
【００１６】
本発明の第一は、ヨウ素−シクロデキストリン包接化合物を含む液体を、畜舎で生じた臭気を発する気体に散布する、畜舎の臭気除去方法である。
【００１７】
まず、本発明において用いられるヨウ素−シクロデキストリン包接化合物について説明する。本発明において用いられるヨウ素−シクロデキストリン包接化合物は、ヨウ素の包接量の保持および放出の制御が容易であり、ヨウ素及びシクロデキストリンの存在比を適宜調節することによって、ヨウ素による抗菌・防黴作用およびシクロデキストリンによる消臭作用を必要に応じて調整することができる。なお、本発明において用いられるヨウ素−シクロデキストリン包接化合物は、シクロデキストリンの添加量を調整することで所望の包接量のヨウ素−シクロデキストリン包接化合物が得られ、ヨウ素の包接量によって着色の程度に相違がある。しかしながら、いずれもヨウ素特有の臭気はほとんど持たない。
【００１８】
また、本発明において用いられるヨウ素−シクロデキストリン包接化合物は、哺乳動物における必須栄養素の一つであるヨウ素及び食品添加物として認可されているシクロデキストリンからなり、安全性が高い。したがって、周辺環境や家畜に与える影響が小さい。
【００１９】
また、ヨウ素−シクロデキストリン包接化合物中に存在しているヨウ素によって、抗菌がなされる。このため、本発明のヨウ素−シクロデキストリン包接化合物を用いた場合には、畜舎で発生する臭気を除去する効果に加えて、畜舎内および畜舎周辺の殺菌効果が得られる。畜舎は、動物から排泄される屎尿や動物表皮などにおいて不衛生になりがちである。本発明のヨウ素−シクロデキストリンを用いた場合には、ヨウ素の作用によって衛生状態を好適な状態に維持することも可能である。
【００２０】
さらに、本発明において用いられるヨウ素−シクロデキストリン包接化合物は、アンモニアなどの塩基性成分だけでなく、有機酸などの酸性成分を除去し得る。従って、種々の臭気の原因物質が含まれる畜舎内に適用する上で、非常に有益である。
【００２１】
本発明において、ヨウ素は、特に制限されるものではなく、市販品をそのまま使用してもよい。また、ヨウ素は、ヨウ化カリウムと重クロム酸カリウムとを加熱蒸留するなどの方法に従って合成されてもよい。
【００２２】
本発明において、シクロデキストリンは、特に制限されるものではなく、市販品をそのまま使用してもよい。また、シクロデキストリンは、デンプンにＢａｃｉｌｌｕｓ　ｍａｃｅｒａｎｓ由来のアミラーゼを作用させることなどの公知の方法によって製造してもよい。なお、本明細書において、「シクロデキストリン」は、それぞれ６、７及び８個の環状α−（１→４）結合したＤ−グルコピラノース単位から構成されるα−、β−及びγ−シクロデキストリンを包含するのみならず、例えば、アルキル化（メチル化、エチル化、プロピル化、イソプロプル化、ブチル化など）、モノアセチル化、トリアセチル化、モノクロロトリアジニル化等の化学修飾体も含む。シクロデキストリンの市販品の具体例としては、ＣＡＶＡＭＡＸ　Ｗ６及びＣＡＶＡＭＡＸ　Ｗ６　Ｐｈａｒｍａとして市販されるα−シクロデキストリン；ＣＡＶＡＭＡＸ　Ｗ７及びＣＡＶＡＭＡＸ　Ｗ７　ＰＨＡＲＭＡとして市販されるβ−シクロデキストリン；ＣＡＶＡＭＡＸ　Ｗ８、ＣＡＶＡＭＡＸ　Ｗ８　Ｆｏｏｄ及びＣＡＶＡＭＡＸ　Ｗ８　Ｐｈａｒｍａとして市販されるγ−シクロデキストリン；ＣＡＶＡＳＯＬ　Ｗ７　Ｍ、ＣＡＶＡＳＯＬ　Ｗ７　Ｍ　Ｐｈａｒｍａ及びＣＡＶＡＳＯＬ　Ｗ７　Ｍ　ＴＬとして市販されるメチル−β−シクロデキストリン；ＣＡＶＡＳＯＬ　Ｗ７　ＨＰ及びＣＡＶＡＳＯＬ　Ｗ７　ＨＰ　Ｐｈａｒｍａとして市販されるヒドロキシプロピル−β−シクロデキストリン；ＣＡＶＡＳＯＬ　Ｗ７　Ａとして市販されるモノアセチル−β−シクロデキストリン；ＣＡＶＡＳＯＬ　Ｗ７　ＴＡとして市販されるトリアセチル−β−シクロデキストリン；ならびにＣＡＶＡＳＯＬ　Ｗ７　ＭＣＴとして市販されるモノクロロトリアジニル−β−シクロデキストリンなどが挙げられる（シクロデキストリンの入手先は、いずれも、ワッカーケミカルズ　イーストアジア株式会社）。
【００２３】
使用するシクロデキストリンは、用途・入手容易性などを考慮して選択すればよい。例えば、ヨウ素−シクロデキストリン包接化合物を水に溶かし、水溶液として臭気を発する気体に散布する場合には、水溶性に優れるメチル−β−シクロデキストリン（ＭＣＤＩ）などのアルキル化β−シクロデキストリンを用いてヨウ素−シクロデキストリン包接化合物を調製するとよい。また、固体のヨウ素−シクロデキストリン包接化合物を用いる場合には、β−シクロデキストリン（ＢＣＤＩ）を用いるとよい。ヨウ素−シクロデキストリン包接化合物内におけるヨウ素包接量の調整の容易さを考慮すると、β−シクロデキストリン及びこの化学修飾体が好ましい。安全性の観点からは、食品添加物として認可されているβ−シクロデキストリン及びγ−シクロデキストリンならびにこれらの化学修飾体が好ましい。
【００２４】
本発明において用いられるヨウ素−シクロデキストリン包接化合物におけるヨウ素含有量は、ヨウ素−シクロデキストリン包接化合物質量に対して、５〜３５質量％、好ましくは１０〜３０質量％、より好ましくは１９〜２５質量％である。ヨウ素含有量がこのような範囲内であると、不安定で長期保存に適さないヨウ素が長期間安定した形態で存在しうる。上述の範囲でヨウ素が含まれていると、ヨウ素の本来の機能である抗菌・防黴効果とシクロデキストリンの本来の機能である消臭効果とが特に効果的に発現する。
【００２５】
本発明において、ヨウ素−シクロデキストリン包接化合物の製造方法は、本発明で使用されるヨウ素−シクロデキストリン包接化合物が製造できる方法であれば特に制限されるものではなく、公知の方法またはこれらの組み合わせが同様にして使用できる。例えば、特開昭５１−８８６２５号公報、特開昭５１−１００８９２号公報などに記載の方法；ヨウ素量とヨウ素溶解助剤（ＫＩなど）量を所定範囲に調整して溶解し、これにシクロデキストリンを添加する方法；またはこれらの方法で製造されたヨウ素−シクロデキストリン包接化合物に、本発明によるヨウ素の含有量を上記範囲になるように、シクロデキストリンを添加する方法などが挙げられる。このうち、ヨウ素量とヨウ素溶解助剤（ＮａＩ、ＫＩなど）量を所定範囲に調整して溶解し、これにシクロデキストリンを添加する方法においては、シクロデキストリン量を調整することによって、ヨウ素をシクロデキストリン内に包接される量を制御できる。かような方法を用いれば、１９質量％を越えるヨウ素含量のヨウ素−シクロデキストリン包接化合物を得ることも可能である。しかもヨウ素含有率の高いヨウ素−シクロデキストリン包接化合物は、ヨウ素特有の臭気を持たない傾向がある。
【００２６】
かようなヨウ素−シクロデキストリン包接化合物を含む液体を、畜舎内の臭気を発する気体に散布することによって、臭気を除去する方法について、図１を参照しながら説明する。
【００２７】
図１は、畜舎内の気体中に含まれる臭気を除去する、臭気除去装置（洗浄塔）１０１の概略図である。まず、畜舎内の臭気を発する気体１０３が、臭気を発する気体を取り込む吸気部１０５を通じて、臭気除去装置内部に導入される。ヨウ素−シクロデキストリン包接化合物を含む液体１０７は、薬液タンク１０９に貯蔵される。薬液タンク１０９からは、ポンプ１１１を用いて、所望量のヨウ素−シクロデキストリン包接化合物を含む液体１０７が取り出され、臭気除去装置１０１に供給される。臭気除去装置１０１にはヨウ素−シクロデキストリン包接化合物を含む液体を、臭気除去装置１０１の臭気を発する気体１１３に散布する液体散布部１１５が設けられている。液体散布部１１５から散布されたヨウ素−シクロデキストリン包接化合物を含む液体によって、臭気除去装置１０１に供給された臭気を発する気体１１３中の臭気が除去される。ヨウ素−シクロデキストリン包接化合物によって臭気が除去された気体は、排気部１１７を通じて、臭気除去装置１０１の外部へと排出される。臭気除去装置の経済性を高める上では、デミスター１１９を設けて、散布されたヨウ素−シクロデキストリン包接化合物を回収するとよい。液化したヨウ素−シクロデキストリン包接化合物は、塔底から配管１２１を通じて薬液タンク１０９に送られ、リサイクルされる。
【００２８】
臭気除去装置のサイズは、臭気除去装置に求める処理能力に応じて決定される。大規模な畜舎を処理するのであれば、大型の臭気除去装置を用いる。複数の臭気除去装置を併用してもよい。吸気部１０５から導入される気体の供給量は、臭気除去装置の処理能力に応じて決定される。吸気部１０５を用いた気体の導入方法としては、送風機を用いた強制的な気体供給が考えられる。臭気除去装置の材質は、ヨウ素−シクロデキストリン包接化合物や他の用いる化合物によって、侵食などが生じないように選択されるべきである。一般的には、臭気除去装置や配管の材質として、ポリ塩化ビニル、ポリプロピレンなどが用いられる。
【００２９】
液体散布部１１５には、スプリンクラーなどの各種公知の液体散布手段を用いうる。スプリンクラーに代表される液体散布手段の設置数、種類および配置形態については、特に限定されるものではない。散布されたヨウ素−シクロデキストリン包接化合物が効率よく消臭するように、公知の技術的知見を用いて、設置数、種類および配置形態を決定すればよい。
【００３０】
臭気除去装置を操業するにつれて、ヨウ素−シクロデキストリン包接化合物を含む液体１０７が減少する。その場合には、薬液タンク１０９に水および／またはヨウ素−シクロデキストリン包接化合物を足せばよい。水および／またはヨウ素−シクロデキストリン包接化合物は、連続的に追加されても、または、一定量に減少した際に追加されてもよい。減少する液体の内、大部分は水分であるので、好ましくは、水位フロートを薬液タンク１０９に取り付けて、減少した液量だけ、水を補給する。水位フロートを取り付けて水を自動的に補給する形態を用いることで、臭気除去の作業性が向上する。
【００３１】
散布されたヨウ素−シクロデキストリン包接化合物を回収するためのデミスター１１９は、液体散布部１１５から排気部１１７までの間には少なくとも存在することが好ましい。ヨウ素−シクロデキストリン包接化合物のリサイクル効率を高める上では、吸気部１０５から液体散布部１１５までの間に存在することが好ましい。また、排気部１１７の近傍に、さらにデミスター１１９を配置して、リサイクル効率を高めてもよい（図示せず）。
【００３２】
排気部１１７には、特に送風機などの気体排出手段を設けなくともよい。特段の手段を設けずとも、吸気部１０５における気体の導入速度に応じて、自然に気体は排出される。また、排気部１１７は１つに限られるものではなく、複数設けてもよいし、装置から大気中に放出される形態であってもよい。かような特別の排気部を設けない形態においても、気体が臭気除去装置から排出される部位は、本願でいう排気部の概念に包含される。
【００３３】
図１に示すような、吸気部、液体散布部および排気部を備えた臭気除去装置は、装置構成が大きくなる傾向を有するので、大規模に臭気除去を図る場合に優れている。従って、畜舎内の気体中に含まれる臭気を除去する上で、利便性が高い。また、本発明において用いられるヨウ素−シクロデキストリン包接化合物は、少量でも優れた臭気除去効果を有するため、ランニングコストの削減も図れる。ただし、本発明の第一の臭気除去方法が大規模な実施態様に限定されるわけではない。小型の臭気除去装置を製造すれば、小規模の畜舎から発生する臭気を低減することも可能である。場合によっては、ペットとして飼育されている犬の犬小屋から発生する臭気を低減することも可能である。この場合には、設置部位を考慮すると、室外に小型の臭気除去装置を設置するとよい。
【００３４】
ヨウ素−シクロデキストリン包接化合物を含む液体は、液体の全質量に対して０．５〜３０質量％のヨウ素−シクロデキストリン包接化合物を含むことが好ましい。０．５質量％未満であると、臭気除去が十分得られない恐れがある。一方、３０質量％を超えると、薬液コストが上昇する。また、３０質量％もあれば十分な臭気除去効果が得られる。
【００３５】
ヨウ素−シクロデキストリン包接化合物を含む液体には、ヨウ素−シクロデキストリン包接化合物および溶媒が必須成分として含まれるが、これらの他にも必要に応じて他成分を含んでもよい。例えば、木酢液を含んでもよい。ヨウ素−シクロデキストリン包接化合物のみを、消臭成分として含む液体を用いて、畜舎で生じた臭気を除去してもよい。しかし、ヨウ素−シクロデキストリンは、材料単価が高く、ヨウ素−シクロデキストリンのみを用いた場合、消臭処理に必要なコストが嵩んでしまう。木酢液を含有させた場合、消臭効果を十分確保した上で、ヨウ素−シクロデキストリンの使用量を減少させうる。したがって、消臭処理に必要なコストを削減できる。また、木酢液を含む液体は、病害虫の忌避剤としての効果も有する。さらに、木酢液は芳しい芳香を放つため、木酢液の添加によって、マスキング効果が得られる。ここで、マスキング効果とは、一の化合物による芳香を、他の化合物の芳香によって、感覚上消し去る効果を意味する。市販の香水の大部分は、臭気の原因物質を除去または変質させるものではなく、より強い芳香を発することによって、臭気を感覚上消し去る。本願では、このような効果をマスキング効果と呼ぶ。なお、木酢液とは、製炭の際に窯から出る煙を蒸留させて得られる液体をいい、約２００種類以上の天然成分が含まれる。木酢液はこのように天然成分由来であるため、畜舎のような動物が存在する施設の臭気除去に適用する上で、好適である。木酢液の含有量は、ヨウ素−シクロデキストリン包接化合物を含む液体の全質量に対して０．５〜３０質量％が好ましい。
【００３６】
場合によっては、木酢液の代わりにまたは木酢液に加えて、ヨウ化水素（ＨＩ）を含んでいてもよい。ヨウ化水素を加えることによって、臭気除去効果を高めることができる。その上、ヨウ化水素を加えた場合、ヨウ素−シクロデキストリン包接化合物の使用量を減少させうる。ヨウ化水素を加えることによってヨウ素−シクロデキストリン包接化合物の使用量が減少する理由は、酸がヨウ素−シクロデキストリン包接化合物よりも先にアンモニアなどの臭気成分と反応するためであると考えられる。ただし、ＨＩは強酸であるため、使用に際しては霧状のＨＩが動物周辺に流れないように留意する必要がある。
【００３７】
例えば、メチル−β−シクロデキストリン（ＭＣＤＩ）をヨウ素−シクロデキストリン包接化合物として用いる場合、液体の全質量に対して１質量％のヨウ化水素を加えることによって、同程度の効果を維持したまま、ＭＣＤＩの使用量を約半分にまで削減することができる。ヨウ化水素の含有量は、ヨウ素−シクロデキストリン包接化合物を含む液体の全質量に対して０．５〜５質量％程度がよい。
【００３８】
ヨウ素−シクロデキストリン包接化合物を含む液体には、ヒドロキシ安息香酸メチル及びヒドロキシ安息香酸プロピル等の防腐剤を加えてもよい。溶媒は、コストや後処理を考慮すると、水が好ましい。ただし、必要に応じて、他の溶媒を用いてもよいし、水と他の溶媒とを併用してもよい。
【００３９】
なお、畜舎で飼育される動物の種類は特に問わない。豚、牛、鶏、馬、羊など様々な動物が飼育される畜舎に本発明は適用されうる。
【００４０】
本発明の第二は、ヨウ素−シクロデキストリン包接化合物を含むシートに、畜舎で生じた臭気を発する気体を挿通させる、畜舎の臭気除去方法である。
【００４１】
ヨウ素−シクロデキストリン包接化合物を含むシートを用いて、畜舎で生じた臭気を除去する方法について簡単に説明する。まず、ヨウ素−シクロデキストリン包接化合物が含有されたシートを準備する。このシートを、所定の位置に配置する。配置されたシートに、畜舎で生じた臭気を発する気体を挿通させて、臭気を除去する。
【００４２】
ヨウ素−シクロデキストリン包接化合物を含むシートが配置される部位は、特に限定されない。臭気を発する気体が挿通され、臭気除去が図れるのであれば、どのような位置であってもよい。畜舎内外も問わない。畜舎内部にシートが配置されるのであれば、畜舎内に配置されたファンを用いて畜舎内の空気がシートを挿通するように循環させる。畜舎外部にシートが配置されるのであれば、畜舎内の空気が供給される装置を準備し、外装置内部に配置されたシートに、供給された空気を挿通させてもよい。畜舎の排気口に配置されたシートを利用して、臭気を除去してもよい。
【００４３】
ヨウ素−シクロデキストリン包接化合物を含むシートの材質は、ヨウ素−シクロデキストリン包接化合物を含浸させることができ、かつ、気体が挿通可能であれば特に限定されない。例えば、所望の大きさのシートに成形した不織布を用いることができる。シートの大きさも、特に限定されない。使用形態や空気処理量に応じて、シートの大きさを決定すればよい。
【００４４】
ヨウ素−シクロデキストリン包接化合物を含むシートを製造するには、まず、所定の濃度のヨウ素−シクロデキストリン包接化合物を含む溶液を調製する。次に、シートをこの溶液に含浸させて、ヨウ素−シクロデキストリン包接化合物をシート中に含ませる。最後に、シートから溶媒を揮発させて、ヨウ素−シクロデキストリン包接化合物を含むシートを完成させる。なお、かような方法以外の製法を用いてヨウ素−シクロデキストリン包接化合物を含むシートを製造しても勿論よく、本発明で規定する要件を満たす限り、本発明の技術的範囲に包含される。例えば、ヨウ素−シクロデキストリン包接化合物を不織布に散布して、不織布内部にヨウ素−シクロデキストリン包接化合物を含浸させてもよい。
【００４５】
なお、本発明の第二の臭気除去方法において用いることができるヨウ素−シクロデキストリン包接化合物は、本発明の第一の臭気除去方法において説明したものと同様であるため、ここでは説明を省略する。なお、ヨウ素−シクロデキストリン包接化合物および他の成分についての説明は、後述する本発明の第三以降においても同様であるため、説明を省略する。
【００４６】
本発明の第一の臭気除去方法と本発明の第二の臭気除去方法とを組み合わせてもよい。例えば、図１において、液体散布部１１５と排気部１１７との間に、さらにヨウ素−シクロデキストリン包接化合物を含むシート（図示せず）を配置して、臭気除去効率を高めることも可能である。
【００４７】
本発明の第三は、畜舎内の気体を取り込む吸気部と、ヨウ素−シクロデキストリン包接化合物を含む液体を前記気体に散布する液体散布部と、前記ヨウ素−シクロデキストリン包接化合物によって臭気が除去された気体を排出する排気部と、を有することを特徴とする臭気除去装置である。
【００４８】
本発明の第三の実施態様としては、図１に示す臭気除去装置が挙げられる。本発明の第三の臭気除去装置を用いれば、臭気を発する気体に脱臭効果を有するヨウ素−シクロデキストリン包接化合物を散布することによって、効果的な脱臭が図れる。詳細は、本発明の第一において説明したので、ここでは説明を省略する。
【００４９】
本発明の第四は、畜舎で生じた臭気を発する気体が挿通される、ヨウ素−シクロデキストリン包接化合物を含む臭気除去シートである。本発明の第四の臭気除去シートを用いれば、臭気を発する気体をヨウ素−シクロデキストリン包接化合物を含むシートに挿通させて、臭気を除去することができる。かような実施形態においては、脱臭効果が薄れた場合に、シートを交換するだけで容易に脱臭効果の回復が図れるため、利便性が高い。詳細は、本発明の第二において説明したので、ここでは説明を省略する。
【００５０】
【実施例】
［臭気除去装置の仕様］
図１に示す形態の臭気除去装置としての洗浄塔を、畜舎内の臭気を除去するために用いた。畜舎内の気体中には、臭気成分として、有機酸（主として酪酸）、アンモニア、メチルアミンが含まれていた。
【００５１】
吸気部には送風機（ＭＡＸ：２０００ｍ３／ｍｉｎ）を設置し、畜舎内の気体が臭気除去装置内部に強制的に供給されるようにした。臭気除去処理に際しては、３０ｋＷの電動機を用いて、静圧１．８ｋＰａで５００ｍ３／ｍｉｎの気体を臭気除去装置に導入した。薬液タンク（１０００Ｌ）には、臭気除去のために使用する液体を供給しておいた。薬液タンクには揚水式ポンプが設置され、口径８０ｍｍの配管を通じて、臭気除去装置内部に設けられた液体散布部としてのスプリンクラーに溶液を供給できるようにした。臭気除去装置内部には、液体散布部としてのスプリンクラーを４２個分散配置した。また、スプリンクラーの上下には、デミスターを配置した。臭気除去装置の上部には、排気口を設け、臭気除去処理された気体が大気中に排気されるようにした。デミスターで回収されたＭＣＤＩを含む液体は回収して、薬液タンクにリサイクルした。
【００５２】
［実施例１］
臭気除去のために使用する液体として、ＭＣＤＩ（４０ｋｇ）を含む水溶液（８５０リットル）を準備した。液体の全質量に対するヨウ素−シクロデキストリン包接化合物（メチル−β−シクロデキストリン：ＭＣＤＩ）の含有量は、４．７０質量％である。ＭＣＤＩの質量に対するヨウ素の含有量は６質量％であった。前述の臭気除去装置を用いて畜舎内の気体を処理した。
【００５３】
畜舎周辺の気体を袋に取り込み、有機酸、アンモニア、メチルアミンの含有量を調査した。有機酸、アンモニア、メチルアミンのいずれも、十分除去されており、残存する臭気もほとんど感じられなかった。結果を表１に示す。
【００５４】
［実施例２］
ＭＣＤＩの使用量を２０ｋｇに減らし、木酢液（グリーンリサイクル株式会社製）を２０リットル用いた以外は、実施例１と同様にして畜舎内の気体を処理した。本実施例において、液体の全質量に対するヨウ素−シクロデキストリン包接化合物（メチル−β−シクロデキストリン：ＭＣＤＩ）の含有量は、２．３５質量％である。ＭＣＤＩの質量に対するヨウ素の含有量は６質量％であった。
【００５５】
畜舎周辺の気体を袋に取り込み、有機酸、アンモニア、メチルアミンの含有量を調査した。有機酸、アンモニア、メチルアミンのいずれも、十分除去されていた。また、木酢液の芳香が感じられた。つまり、木酢液によるマスキング効果が確認された。結果を表１に示す。
【００５６】
［比較例１］
臭気除去のために使用する液体として、８０％酢酸（２０リットル）と木酢液（２０リットル）とを含む水溶液（８５０リットル）を準備した。前述の臭気除去装置を用いて畜舎内の気体を処理した。
【００５７】
畜舎周辺の気体を袋に取り込み、有機酸、アンモニア、メチルアミンの含有量を調査した。アンモニアおよびメチルアミンは、十分除去されていた。しかしながら、有機酸は、ほとんど除去されていなかった。有機酸が除去されないのは、消臭成分（酢酸）が酸性であるため、同じく酸性である有機酸を除去し得ないからであると推察される。
【００５８】
また、アンモニアおよびメチルアミンは、処理当初は除去されていたが、一定時間経過すると、アンモニアおよびメチルアミン量が増加し、臭気を発し始めた。これは、下記反応：
【００５９】
【化１】
2004081027.tif 000003
【００６０】
によって一旦除去されたアンモニアおよびメチルアミンが、下記反応：
【００６１】
【化２】
2004081027.tif 000004
【００６２】
によって再度放出されるためであると推測される。つまり、実施例１および２の場合と異なり、酢酸および木酢液を用いる比較例１の場合には、臭気除去効果の持続性がなかった。因みに、かような逆反応は、シクロデキストリンを用いた場合には、考慮する必要がない。比較例１の結果は、表１に示す。
【００６３】
【表１】
2004081027.tif 000005
【００６４】
表１に示すように、本発明の方法および装置によって、臭気の効果的な除去が可能である。
【００６５】
【発明の効果】
ヨウ素−シクロデキストリン包接化合物を用いて、畜舎で生じた臭気を効果的に除去することができる。
【図面の簡単な説明】
【図１】畜舎内の気体の臭気を除去する、臭気除去装置（洗浄塔）の概略図である。
【符号の説明】
１０１…臭気除去装置、１０３…臭気を発する気体、１０５…吸気部、１０７…シクロデキストリン包接化合物を含む液体、１０９…薬液タンク、１１１…ポンプ、１１３…臭気を発する気体、１１５…液体散布部、１１７…排気部、１１９…デミスター、１２１…配管
【図１】
2004081027.tif 000006